(57)【特許請求の範囲】
【請求項１】
座部保持体（６）が，いす下方部分（７）に取り付けられていて，座部（２）と旋回可能に結合されており，座部は，同期しゅう動案内（５）あるいは類似の同期機構を介して，背もたれ部（３）と運動連結されており，座部（２）は，下方旋回方向に対して逆方向に作用する戻し装置（８）によって支えられている形式のいすにおいて，座部保持体（６）がいす下方部分（７）に沿ってほぼ鉛直方向に可動に案内されており，座部（２）が戻し装置（８）によっていす下方部分（７）に支えられており，背もたれ部（３）といす下方部分（７）との間の運動伝達経路内に，背もたれ部（３）の後方旋回運動の際に該後方旋回運動を戻し装置（８）へ伝達することによる座部（２）の撥ね戻りを制動しかつブロックする装置（１４）が設けられていることを特徴とするいす。
【請求項２】
ブロック装置（１４）が座部保持体（６）といす下方部分（７）との間の運動伝達に作用し，背もたれ部（３）が後方旋回運動を行う場合にブロック装置（１４）が作動せしめられるようにしたことを特徴とする，請求項１記載のいす。
【請求項３】
ブロック装置（１４）が同期しゅう動案内（５）と連結されていることを特徴とする，請求項１又は２記載のいす。
【請求項４】
ブロック装置（１４）が制動装置として構成されていて，座部保持体（６）と剛性的に結合されており，かつブロック位置においていす下方部分（７）に係合するようにしたことを特徴とする，請求項１から３までのいずれか１項に記載のいす。
【請求項５】
ブロック装置（１４）が，いす下方部分の突出部分を取り囲む締め付け部材（１５）であり，この締め付け部材はそのブロック位置において少なくとも部分的にいす下方部分（７）の突出部分と摩擦係合することを特徴とする，請求項１から４までのいずれか１項に記載のいす。
【請求項６】
締め付け部材（１５）の両方の締め付けアーム（１６・１７）の少なくとも一方の外面に締め付け斜面（１８）が設けられており，この締め付け斜面は，背もたれ部（３）と運動連結されている対応斜面（１９）と協働するようにしたことを特徴とする，請求項１から５までのいずれか１項に記載のいす。
【請求項７】
締め付け部材（１５）の両方の自由締め付けアーム（１６・１７）がそれぞれつる巻き状の締め付け斜面（１８）を有しており，これら両方の締め付け斜面に所属して，それぞれ１つの，軸方向にほぼ不動に支承されている対応斜面（１９）が設けられており，締め付け部材の両側のこれらの斜面は，互いに逆向きの回転方向のつる巻き線状にされていることを特徴とする，請求項６記載のいす。
【請求項８】
背もたれ部（３）が背もたれ部保持体（１１）と結合されており，この背もたれ部保持体は同期しゅう動案内（５）内で移動可能に案内されており，背もたれ部保持体（１１）は少なくとも１つの締め付けレバー（２２）と連結されており，この締め付けレバーは対応斜面（１９）の共通の回転軸（２１）に取り付けられていて，対応斜面と一緒に旋回可能であることを特徴とする，請求項６又は７記載のいす。
【請求項９】
戻し装置（８）が戻し力としてトーションばね（９）を有しており，このトーションばねは座部（２）と座部保持体（６）との間の旋回軸線のところに配置されており，このトーションばね（９）は一面では座部（２）に回転不能に保持されており，他面では支持レバー（１０）に回転不能に結合されていて，この支持レバーはその自由端部範囲をいす下方部分（７）に支えられていることを特徴とする，請求項１から８までのいずれか１項に記載のいす。
【請求項１０】
いす下方部分（７）が高さを調節可能であり，このためにいす下方部分（７）が案内スリーブ（２４・２５）を有する２つの鉛直案内を備えており，一方の案内スリーブ（２４）はガスばね（２６）あるいは類似の高さ調節部材に所属しており，他方の案内スリーブ（２５）は座部保持体（６）に所属いていることを特徴とする，請求項５記載のいす。
【請求項１１】
締め付け部材（１５）がそのブロック位置において高さ調節部材（２６）の上方の，第１の案内スリーブ（２４）を越えて突出いている部分範囲に係合することを特徴とする，請求項１０記載のいす。
【発明の詳細な説明】
【０００１】
【産業上の利用分野】
本発明は，座部保持体が，いす下方部分に取り付けられていて，座部と旋回可能に結合されており，座部は，同期しゅう動案内あるいは類似の同期機構を介して，背もたれ部と運動連結されており，座部は，下方旋回方向に対して逆方向に作用する戻し装置によって支えられている形式のいす，特に事務用いす，に関する。
【０００２】
【従来の技術】
いすに座っている人に快適な座り心地を与えるために，高級な事務用いすにおいては，座部と背もたれ部とを同期機構を介して互いに運動連結して，背もたれ部の調節と同時に，それに関連して座面が調節されるようにすることは公知である。座部及び背もたれ部のこの同期的な調節によって，いすが使用者に人間工学的に適合せしめられる。
【０００３】
このような事務用いすの背もたれ部を調節する場合，使用者の寄り掛かり力に戻し装置の戻し力が逆作用し，この戻し装置は同時に，座部保持体と旋回可能に結合されている座部を下方旋回しないように支える。この場合，使用者の寄り掛かり力に逆作用する戻し力は，使用者が大きくて重い場合，体重が大きいために，強くしておかなければならず，背もたれ部の後方傾斜が増大して，レバー腕が延長せしめられるにつれて，なお付加的に増大させなければならず，しかもこの力の増大はやはり使用者の体重に関連させておかなければならない。
【０００４】
使用者がその体重に戻し装置を適合させなくてもいようにするために，かつ誤調整が行われないようにするために，戻し力が使用者の体重に関連する寄り掛かり力に自動的に適合せしめられる種々の事務用いすが既に提案されている。
【０００５】
例えば，ドイツ連邦共和国実用新案第 86 14 185.6 号明細書に記載されている事務用いすにおいては，座部が前方及び後方の平行四辺形リンク機構を介して不動の座部保持体に結合されており，この座部保持体はいす下方部分に固定されている。この公知の事務用いすの座部は，別の旋回可能なリンクアームから成る同期機構を介して背もたれ部と運動連結されていて，背もたれ部が調節される場合に座部が，その正常位置から，後部を前部よりも強く沈下せしめられ，背もたれ部に従う運動を後方に向かって行うようになっている。この場合座部は，下方旋回運動しないように作用する戻し装置によって支えられており，この戻し装置は２つの戻しばねから成っており，これらの戻しばねは使用者の体重に相応して程度の差こそあれ，強く前緊縮される。この戻し装置及び戻しばねによって，背もたれ部の運動がそれに連結されている座部の同期運動とともに，程度の差こそあれ軽く行われる。
【０００６】
この公知の事務用いすは構造がかなり複雑である。それは，座部と背もたれ部との運動を申し分なく行わせるために，多数のヒンジ及び運動可能なリンクアームが設けられているからである。
【０００７】
【発明が解決しようとする課題】
したがって本発明の課題は，最初に述べた形式の事務用いすにおいて，背もたれ部の戻し力が使用者の体重に関連して自動的に適合せしめられ，背もたれ部の傾斜が増大するにつれて増大せしめられ，それにもかかわらず，構造が簡単であるようにすることである。
【０００８】
【課題を解決するための手段】
この課題を解決するために，本発明の構成では，最初に述べた形式のいすにおいて，座部保持体がいす下方部分に沿ってほぼ鉛直方向に可動に案内されており，座部が戻し装置によっていす下方部分に支えられており，背もたれ部といす下方部分との間の運動伝達経路内に，背もたれ部の後方旋回運動の際に該後方旋回運動を戻し装置へ伝達することによる座部の撥ね戻りを制動しかつブロックする装置が設けられているようにした。
【０００９】
【発明の効果】
本発明による事務用いすにおいては，座部は戻し装置によっていす下方部分に支えられている。座部と旋回可能に結合されている座部保持体はこのいす下方部分に沿って鉛直方向に運動可能に案内されている。座部が使用者の体重によって負荷されると，座部の戻しのために設けられている戻し装置が前緊縮される。しかし戻し装置のこの前緊縮は，座部と運動連結されている背もたれ部の傾斜を生ぜしめることはない。なぜなら，座部保持体は使用者の体重に相応していす下方部分のところでわずかに下方に向かって逃げることができるからである。座部と背もたれ部とは同期しゅう動案内あるいは類似の同期機構を介して互いに運動連結されている。背もたれ部に作用している使用者の寄り掛かり力が消滅すると，背もたれ部と座部との同期的な戻し運動がやはり戻し装置によって行われる。戻し装置は同時に使用者の体重によって前緊縮されているので，寄り掛かり力に対抗モーメントとして逆作用する背もたれ部の戻し力も自動的に使用者の体重に適合せしめられ，背もたれ部の傾斜が増大するにつれて増大する。したがって本発明による事務用いすの戻し装置は，原則的には，たんに１つの戻しばねあるいは類似の戻し力で充分である。もちろんこのような戻しばねを複数設けておくことはできる。
【００１０】
背もたれ部調節によって，寄り掛かりの際に作用せしめられる力は本発明によるいすの運動伝達経路内に入る。この寄り掛かり力によってそれに反対作用する戻し装置が使用者の体重を越えて付加的に前緊縮される。後方に向かっての背もたれ部調節の際に，座部の撥ね戻りを避けるためにかつ戻し装置の体重に関連する前緊縮の損失を避けるために，背もたれ部といす下方部分との間の運動伝達経路内に，背もたれ部の後方旋回運動の際に戻し装置に伝達される運動をブロック及び（又は）補償する装置が設けられている。
【００１１】
ブロック装置が座部保持体といす下方部分との間の運動伝達に作用し，背もたれ部が後方旋回運動を行う場合にブロック装置が作動せしめられるようにすると有利である。座部保持体といす下方部分との間で作用するブロック装置によって，背もたれ部が後方に調節される場合の座部の持ち上がりが阻止される。背もたれ部の後方旋回運動を行う場合にブロック装置が作動せしめられるようにすると，ブロック装置は比較的にわずかな寄り掛かり力が戻し装置に作用するだけで操作される。この場合ブロック装置が同期しゅう動案内あるいは類似の同期機構と連結されていると，特に有利である。
【００１２】
本発明の有利な実施態様では，ブロック装置は摩擦制動装置として構成されていて，座部保持体と剛性的に結合されており，かつブロック位置において少なくとも部分的にいす下方部分に係合するようになっている。摩擦制動装置は，背もたれ部の後方旋回の際に実際上無段階にかつ使用者に気付かれることなしに，作動させることができる。
【００１３】
本発明によるいすの構造的経費を更に減少させる有利な実施態様では，ブロック装置は，いす下方部分のほぼ鉛直方向の突出部分を取り囲んでいる締め付け部材であり，この締め付け部材はそのブロック位置において少なくとも部分的にいす下方部分の突出部分と摩擦係合するようになっている。使用者が背もたれ部に寄り掛かる際に締め付け部材がいす下方部分に摩擦接触するようにするために，締め付け部材の両方の締め付けアームの少なくとも一方の外面に特につる巻き状の締め付け斜面が設けられており，この締め付け斜面が，殊に軸方向でほぼ不動に支承されていて背もたれ部と運動連結されている対応斜面と協働するようにすると有利である。回転可能に支承されている対応斜面の回転運動によって，対応斜面は締め付け斜面に沿って滑動し，これらの斜面は軸方向で互いに離れるように動く。この場合対応斜面は軸方向に不動に支承されているので，締め付け斜面だけが締め付け部材の他方の締め付けアームに向かう方向に逃げることになる。これによって締め付け部材の両方の締め付けアームは互いに押し合わされ，したがって締め付け部材はいす下方部分に摩擦接触する。
【００１４】
締め付け部材を操作するために，締め付けアームを押し合わす別の構造も考えられる。例えば少なくとも一方の締め付けアームに内ねじ山を形成し，この内ねじ山が，回転可能に支承されている軸の外ねじ山と協働するようにすることができる。背もたれ部の調節の際にこのような軸が回転せしめられると，締め付け部材の締め付けアームも，互いに接近もしくは離反するように動かされる。
【００１５】
両方の締め付けアームが可及的に均一に相対運動し得るようにし，かつ，締め付け部材がそのブロック位置において可及的に固くいす下方部分に保持されるようにするために，締め付け部材の両方の自由締め付けアームがそれぞれつる巻き状の締め付け斜面を有しており，これら両方の締め付け斜面に所属して，それぞれ１つの，軸方向にほぼ不動に支承されている対応斜面が設けられており，締め付け部材の両側のこれらの斜面は，互いに逆向きの回転方向のつる巻き線状にされているようにすると，有利である。
【００１６】
本発明によるいすは，戻し装置が戻し力としてトーションばねを有しており，このトーションばねは座部と座部保持体との間の旋回軸線のところに配置されており，このトーションばねは一面では座部に回転不能に保持されており，他面では支持レバーに回転不能に結合されていて，この支持レバーはその自由端部範囲をいす下方部分に支えられているようにすると，更に構造が簡単かつ有利になる。トーションばねが座部と座部保持体との間の旋回軸線のところに配置されているこのような実施態様は，事務用いす及びその戻し装置を特にコンパクトに構成することを可能にする。
【００１７】
本発明によるいすの高さを調節可能にし，かつ戻し装置のばね部材の前緊縮のために座部の弾性運動を可能にするために，いす下方部分が高さを調節可能であり，このためにいす下方部分が案内スリーブを有する２つの鉛直案内を備えており，一方の案内スリーブはガスばねあるいは類似の高さ調節部材に所属しており，他方の案内スリーブは座部保持体に所属しているようにすると有利である。
【００１８】
【実施例】
以下においては図面に示した実施例に基づいて本発明の構成を具体的に説明する。
【００１９】
図１において，いす面を座部２と背もたれ部３とによって構成されている事務用いす１が示されている。座部２と，ヒンジ４を介して座部２に結合されている背もたれ部３とは，同期しゅう動案内５を介して互いに運動連結されていて，背もたれ部３が調節されると，同時にそれに関連して座部２が調節されるようになっている。座部２と背もたれ部３とのこのような同期調節によって，事務用いす１を使用者の人間工学的な条件に適合させることができる。
【００２０】
座部２はその下面の前方範囲において座部保持体６と旋回可能に結合されており，座部保持体自体は鉛直方向に可動にいす下方部分７に沿って案内されている。座部保持体６と旋回可能に結合されている座部２は，座部２の下方旋回運動とは逆方向に作用する戻し装置８によって支えられている。このために戻し装置８は戻し力としてトーションばね９を有しており，このトーションばねは座部２と座部保持体６との間の旋回軸線のところにコンパクトに配置されていて，座部２に対して回転方向ＭV に向いた力を作用させる。後でなお詳細に説明するトーションばね９は一面では座部２に回転不能に保持されており，かつ他面では支持レバー１０に回転不能に結合されており，支持レバー１０はその自由端部範囲をもっていす下方部分７を負荷している。
【００２１】
座部２が使用者の体重ＦG によって負荷されると，座部２を戻すために設けられている戻し装置８が前緊縮される。戻し装置８のこの前緊縮は，座部２と運動連結されている背もたれ部３の傾斜に影響を及ぼすことはない。なぜなら，座部保持体６は使用者の体重に相応していす下方部分７においてわずかに下方に向かって逃げることができるからである。戻し装置８は使用者の体重によって前緊縮されているので，寄り掛かり力に対して対抗モーメントとして反対作用する背もたれ部３の戻し力ＦR も自動的に使用者の体重に適合せしめられ，背もたれ部の傾斜が増大するにつれて，増大する。使用者によって背もたれ部３に作用せしめられている寄り掛かり力が消滅すると，同期しゅう動案内５を介しての背もたれ部３及び座部２の同期戻し運動がやはり戻し装置８によって保証される。したがって事務用いす１の戻し装置８は原則的に１つのトーションばねあるいは類似の戻し力で充分である。
【００２２】
図１に示すように，背もたれ部３は背もたれ部保持体１１に結合されており，この背もたれ部保持体は，同期しゅう動案内５内で移動可能に案内されていて，図１の場合には腰椎支持体として構成されている。このために同期しゅう動案内５は，平面図で見てほぼＶ字形の座部保持体６内で両側にそれぞれ１つの長孔１２を有しており，これらの長孔１２は背もたれ保持体１１に固く結合されている一貫した軸１３によって貫通されている。
【００２３】
背もたれ部調節によって，寄り掛かりの際に作用せしめられる寄り掛かり力は事務いす１の運動伝達経路内に入る。この寄り掛かり力によって，それに反対作用する戻し装置８は使用者の体重を越えて付加的に前緊縮される。したがって，戻し装置８の前緊縮は使用者の体重に相当するよりも大きい。ところで座部２が撥ね戻ること並びに座部保持体６がいす下方部分７のところで持ち上がることを避け，戻し装置８の，体重に関連する前緊縮の損失を防止するために，背もたれ部３と椅子下方部分７との間の運動伝達経路内に，背もたれ部３の後方旋回運動の際に戻し装置８に伝達される運動をブロックするためのブロック装置１４が設けられている。このブロック装置１４は同期しゅう動案内５と連結されていて，背もたれ部の後方旋回運動の際に作動可能である。
【００２４】
ブロック装置１４の構成は図１及び図３から明らかである。ブロック装置１４は摩擦型の，したがって無段階の制動装置として構成されていて，そのブロック位置においていす下方端部７に係合する。ブロック装置１４は，外方に向かって折り曲げられ互いにほぼ平行に配置されている２つの締め付けアーム１６・１７を備えた締め付け部材１５を有している。この締め付け部材１５はその両方の自由締め付けアーム１６・１７に，それぞれ１つのつる巻き状の締め付け斜面１８を有しており，これらの締め付け斜面に所属して，それぞれ１つの，軸方向でほぼ不動に支承されている対応斜面１９が設けられている。締め付け斜面１８と対応斜面１９とによって形成されている斜面は，締め付け部材１５の両側で互いに逆向きの回転方向で，つる巻き状にされている。
【００２５】
締め付け斜面１８はそれぞれ１つの中心の孔２０を有しており，これらの孔は軸２１によって貫通されている。軸２１の両方の自由端部範囲において締め付けレバー２２が設けられている。対応斜面１９と締め付けレバー２２と軸２１とは互いに回転不能に結合されている。締め付けレバー２２は，その軸２１とは逆の側の端部範囲にそれぞれ１つの長孔２３を有しており，これらの長孔２３は同期しゅう動案内５の軸１３によって貫通されている。
【００２６】
ところで背もたれ部３が後方に向かって調節せしめられると，同期しゅう動案内５を介して同時に座部２の相対位置も変化せしめられる。締め付けレバー２２は同期しゅう動案内５の軸１３に係合しているので，背もたれ部３の後方旋回運動の際にブロック装置１４も作動せしめられる。すなわちこの後方旋回運動によって，背もたれ部保持体１１を介して，これに結合されている軸１３も前方に向かって動かされ，したがって，軸２１の軸線を中心として回転可能に支承されている締め付けレバー２２は前方に向かって旋回する。締め付けレバー２２のこの回転運動若しくは旋回運動によって，それに回転不能に結合されている対応斜面１９は締め付け斜面１８に沿って滑動する。これらの斜面が相応してつる巻き線状に形成されていること及び対応斜面１９が軸方向でほぼ不動に支承されていることによって，締め付け斜面１８及びそれに一体的に結合されいている締め付け部材の締め付けアーム１６・１７は互いに接近する方向に動くことができる。締め付けアーム１６・１７のこの運動によって，締め付け部材１５の円形の部分範囲によって仕切られている円周が減少せしめられ，したがって締め付け部材１５はいす下方部分７に摩擦接触する。
【００２７】
いす下方部分７は高さを調節可能に構成されている。図１から明らかなように，いす下方部分７は互いに同軸的な２つの案内スリーブ２４・２５を備えた２つの互いに重畳する鉛直案内を有している。第１の案内スリーブ２４はガスばね２６に所属しており，第２の案内スリーブ２５は座部保持体６に固く結合されている。この第２の案内スリーブ２５内には締め付け部材１５も鉛直方向に移動不能に取り付けられている。回転可能に支承されているガスばね２６のシリンダ２７は第１の案内スリーブ２４を越えて上方に突出している。鉛直のガスばね２６のこの突出している部分範囲に締め付け部材１５が係合しているのに対し，シリンダ２７の上方の端面には支持レバー１０が支えられている。
【００２８】
戻し装置８の構成は図２及び図４から明らかである。図４に示すように，トーションばね９は多角形の，この場合六角形の横断面のトーションバー２８を有している。トーションバー２８の両端部にはそれぞれ１つの，やはり外周面が六角形の管スリーブ２９・３０が差しはめられている。管スリーブ２９・３０はそれぞれ外方の端部に円形の部分を有している。管スリーブ２９・３０のこれらの円形の部分の内周はトーションバー２８の外周の形状に適合せしめられており，したがってトーションバー２８の両端部に差しはめられた管スリーブ２９・３０はトーションバーに回転不能に結合されている。
【００２９】
管スリーブ２９・３０はその外方の円形部分をそれぞれ，座部２の下面に設けられた支承ブッシュ３１・３２内で支承されている。図４において右側の管スリーブ２９はその内方の端部を，管スリーブ２９の外周の形状に適合せしめられた内周を有する中央の支承ブッシュ３３内で回転不能に保持されているのに対し，図４で左側の管スリーブ３０は支持レバー１０と回転不能に結合されている。
【００３０】
したがって座部２に座っている使用者の体重ＦG は，管スリーブ２９と回転不能に結合されている支承ブッシュ３３を介してトーションバー２８に伝達され，トーションバーから管スリーブ３０を介して，管スリーブ３０に回転不能に結合されている支持レバー１０に伝達される。この支持レバー１０は管スリーブ３０に回転不能に結合されていて，案内スリーブ２５内で案内スリーブ２４を越えて突出しているガスばね２６のシリンダ２７の上方の端面に支えられている。
【００３１】
図示の事務用回転いすは構造が簡単でコンパクトな点ですぐれている。
【図面の簡単な説明】
【図１】背もたれ部の戻し力が，使用者の体重に合わせて自動的に適合せしめられて，背もたれ部の傾斜が増大するにつれて戻し力が増大する同期調節装置を有する事務用いすを，いす下方部分をその縦軸線に沿って断面して，示した図である。
【図２】図１のいすの下方部分の部分的横断面図である。
【図３】図１及び図２の事務用いすのブロック装置の概略図である。
【図４】図１〜図３の事務用いすの戻し装置のトーションばねの範囲における概略図である。
【符号の説明】
１  事務用いす，  ２  座部，  ３  背もたれ部，  ４  ヒンジ，  ５  同期しゅう動案内，  ６  座部保持体，  ７  いす下方部分，  ８  戻し装置，  ９トーションばね，  １０  支持レバー，  １１  背もたれ部保持体，  １２  長孔，  １３  軸，  １４  ブロック装置，  １５  締め付け部材，  １６・１７  締め付けアーム，  １８  締め付け斜面，  １９  対応斜面，  ２０  孔，２１  軸，  ２２  締め付けレバー，  ２３  長孔，  ２４・２５  案内スリーブ，  ２６  ガスばね，  ２７  シリンダ，  ２８  トーションバー，  ２９・３０  管スリーブ，  ３１・３２及び３３  支承ブッシュ，  ＦG  体重，  ＦR  戻し力，  ＭV  回転方向
【図１】
0003663217.tif 000002
【図２】
0003663217.tif 000003
【図３】
0003663217.tif 000004
【図４】
0003663217.tif 000005